【事件の表示】
　特許第３４３７２９４号「光電変換装置」の請求項１ないし１２に係る特許に対する特許異議の申立てについて、次のとおり決定する。
【結　論】
　訂正を認める。
　特許第３４３７２９４号の請求項１ないし１１に係る特許を維持する。
【理　由】
１．手続の経緯
　特許第３４３７２９４号の請求項１ないし１２に係る発明は、平成６年１１月２９日に特許出願され、平成１５年６月６日にその特許権の設定登録がなされ、その後、島田洋より特許異議の申立てがなされ、平成１７年５月１２日に取消理由が通知され、その指定期間内である平成１７年７月２５日に訂正請求がなされ、平成１７年１０月２６日に取消理由が通知され、先の訂正請求が取り下げられ、その指定期間内である平成１７年１１月８日に訂正請求がなされたものである。
　
２．訂正の適否についての判断
（１）訂正の内容
ア．訂正事項ａ
　特許請求の範囲の請求項１の記載について、「複数の蓄積型ラインセンサと、該蓄積型ラインセンサの蓄積状態を監視するモニタ回路と、該モニタ回路の出力を所定置と比較し該蓄積型センサの蓄積停止を判定し蓄積停止蓄積信号を出力する判定回路と、蓄積停止時に該蓄積型ラインセンサの蓄積信号を記憶するメモリ回路と、該メモリ回路からの蓄積信号の読み出しを制御する読み出し制御回路と、読み出し値をＡ／Ｄ変換するＡ／Ｄ変換器とにおいて、複数の該モニタ回路の出力を１つの出力に変換する最大値順次出力回路を有することを特徴とする光電変換装置。」を、
「複数の蓄積型ラインセンサと、
前記複数の
複数の
前記
ライン
前記複数のモニタ回路に対して共通に設けられた
前記
前記
を有する光電変換装置
前記
信号を共通のラインを介して順番に前記判定回路に出力する
前記複数のモニタ回路の出力信号のうち、所定値に達した出力信号を出力する前記モニタ回路を特定するとともに、前記蓄積停止信号に基づき、このモニタ回路に対応する蓄積型ラインセンサに対して蓄積を停止するように制御する選択回路とを有し、所定のタイミングで、前記複数のモニタ回路のうち最大値を示す前記モニタ回路の出力信号が、前記最大値順次出力回路を介して前記判定回路に出力され、前記所定値に達したと判定されることを特徴とする光電変換装置。
と訂正する。
イ．訂正事項ｂ
　特許請求の範囲の請求項８の「前記判定回路から出力される蓄積停止信号は、前記蓄積型ラインセンサ毎に出力されることを特徴とする請求項１の光電変換装置。」を、削除する。
ウ．訂正事項ｃ
　特許請求の範囲の請求項９の
「複数の蓄積型ライセンサと, 各ラインセンサに入射する光量に応じた各ラインセンサでの信号蓄積状態をモニタし、各センサで蓄積された信号のうち大きなものから順次対象となるラインセンサの蓄積信号として選択して出力する選択回路と、停止信号に応答して前記対象となるラインセンサにおいて蓄積された信号を転送する転送回路と、前記選択回路の出力ライン及び前記停止信号の入力ラインを有する第１モジュールと、前記選択回路から順次選択されて対象となるラインセンサの蓄積信号として出力される出力を各対象となるライセンサに対する出力ごとに独立して検知し、各出力ごとに該出力が所定レベルとなるように蓄積時間制御を行い、各出力ごとに制御された時間にて停止信号を順次出力する、蓄積時間制御回路と、該蓄積時間制御回路から出力される停止信号の出力ラインと、前記選択回路の出力を入力する畜積時間制御回路の入力ラインとを有する第２モジュールとから構成され、第１モジュールの選択回路の出力ラインと第２モジュールの蓄積時間制御回路の入力ラインと、第１モジュールの停止信号の入力ラインと第２モジュールの停止信号の出力ラインとを接続したことを特徴とする光電変換装置。」を、請求項８として、
「複数の蓄積型ライセンサと, 各ラインセンサに入射する光量に応じた各ラインセンサでの信号蓄積状態をモニタ
する複数のモニタ回路と、これらモニタ回路で得られた信号を
ライン
最大値順次出力回路
最大値順次出力回路
共通の
共通の
最大値順次出力回路
前記
、前記複数のモニタ回路に対して共通に設けられた
、
共通の
最大値順次出力回路
共通の
さらに、前記複数のモニタ回路の出力信号のうち、所定レベルに達した出力信号を出力する前記モニタ回路を特定するとともに、前記停止信号に基づき、このモニタ回路に対応する蓄積型ラインセンサに対して蓄積を停止するように制御する選択回路を有し、前記
共通の
を接続し
前記
共通の
前記
共通の
エ．訂正事項ｄ
　特許請求の範囲の請求項１０の
「複数の蓄積型ラインセンサと、各ラインセンサに入射する光量に応じた各ラインセンサでの信号蓄積状態をモニタし、各センサで蓄積された信号のうち大きなものから順次対象となるラインセンサの蓄積信号として選択して出力する選択回路と、各ラインセンサごとに対応して設けられ、対象となるラインセンサに対する停止信号に応答して対応するラインセンサにおいて蓄積された信号を転送する転送回路と、前記選択回路の出力ライン及び各転送回路に対してそれぞれ独立に停止信号を入力するための複数の入力ラインを有する第１モジュールと、前記選択回路から順次選択されて対象となるライセンサの蓄積信号として出力される出力を各対象となるラインセンサに対する出力ごとに検知し、各出力ごとに該出力が所定レベルとなるように蓄積時間制御を行い、各出力ごとに制御された時間にて停止信号を出力する蓄積時間制御回路と、該回路からの停止信号を対象となるラインセンサに対応して設けられた各転送回路へ伝えるための複数の出力ラインと、前記選択回路の出力を入力する蓄積時間制御回路の入力ラインとを有する第２モジュールとから構成され、第１モジュールの選択回路の出力ラインと第２モジュールの蓄積時間制御回路の入力ラインと、第１モジュールの各入力ラインと該ラインに対応する第２モジュールの各出力ラインとを接続したことを特徴とする光電変換装置。」を、請求項９として
「複数の蓄積型ラインセンサと、各ラインセンサに入射する光量に応じた各ラインセンサでの信号蓄積状態をモニタ
する複数のモニタ回路と
これらモニタ回路で得られた信号を、
ライン
最大値順次出力回路
最大値順次出力回路
共通の
最大順次出力回路
前記複数のモニタ回路に対して共通に設けられた
積時間制御
最大順次出力回路
共通の
前記
最大値順次出力回路
共通の
前記
共通の
を接続し
前記
入力
前記
と訂正する。
オ．訂正事項ｅ
　特許請求の範囲の請求項１１の、
「前記選択回路はピーク出力回路であることを特徴とする請求項９または１０の光電変換装置。」を、請求項１０として、
「前記
最大値順次出力回路
カ．訂正事項ｆ
　特許請求の範囲の請求項１２の、
「前記選択回路はボトム出力回路であることを特徴とする請求項９または１０の光電変換装置。」を、請求項１１として、
「前記
最大値順次出力回路
と訂正する。
キ．訂正事項ｇ
　特許請求の範囲の記載と発明の詳細な説明の記載との整合をとるため、明細書段落【００１１】の記載を【００１０】として内容を訂正し、【００１７】の記載を削除し、【００３７】の記載を【００１６】として内容を訂正し、【００４９】の記載を【００１７】として内容を訂正し、【０１４２】の記載を【０１０４】として内容を訂正し、【０１４３】の記載を【０１０５】として内容を訂正する。
　
（２）訂正の目的の適否、新規事項の有無及び拡張・変更の存否
　上記訂正事項ａないしｆは、願書に添付された明細書に記載された事項の付加により、特許請求の範囲の減縮および明りょうでない記載の釈明を目的とした明細書の訂正に該当し、また、上記訂正事項ｇは、上記訂正事項ａないしｆと整合を図るものであるから、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第３項で準用する平成６年法律第１１６号による改正前の特許法第１２６条第１項ただし書、第２項及び第３項の規定に適合するので、当該訂正を認める。
　
３．特許異議申立てについての判断
（１）申立ての理由の概要
　申立人島田洋は、請求項１ないし８に係る発明は、甲第１号証（特開昭６２−２１２６１１号公報）、甲第２号証（特開平６−１１６４５号公報）、甲第３号証（特開平３−１６３９７２号公報）、甲第４号証（特開平５−３４１１８０号公報）をもとに容易に発明をすることができたものであり、請求項９ないし１２に係る発明は、甲第１号証、甲第２号証をもとに容易に発明をすることができたものであり、特許法第２９条第２項の規定により、特許を受けることができないものであり、また請求項１ないし１２の記載には不備があり、特許法第３６条第４、５項の規定により、特許を取り消すべきと主張している。
　
（２）本件の請求項１ないし１１に係る発明
　上記２．で示したように上記訂正が認められるから、本件の請求項１ないし１１に係る発明（以下、「本件発明１」ないし「本件発明１１」ともいう）は、上記訂正請求に係る訂正明細書の特許請求の範囲の請求項１ないし１１に記載された事項により特定される以下のとおりのものである。
【請求項１】　複数の蓄積型ラインセンサと、
前記複数の
複数の
前記
ライン
前記複数のモニタ回路に対して共通に設けられた
前記
前記
を有する光電変換装置
　
前記
信号を共通のラインを介して順番に前記判定回路に出力する
　
前記複数のモニタ回路の出力信号のうち、所定値に達した出力信号を出力する前記モニタ回路を特定するとともに、前記蓄積停止信号に基づき、このモニタ回路に対応する蓄積型ラインセンサに対して蓄積を停止するように制御する選択回路とを有し、
　
所定のタイミングで、前記複数のモニタ回路のうち最大値を示す前記モニタ回路の出力信号が、前記最大値順次出力回路を介して前記判定回路に出力され、前記所定値に達したと判定されることを特徴とする光電変換装置。
【請求項３】 　前記最大値順次出力回路はボトム出力回路であることを特徴とする請求項１の光電変換装置。 
【請求項４】 　前記モニタ回路は蓄積制御される前記蓄積型ラインセンサとは別個に設けたセンサでモニタすることを特徴とする請求項１の光電変換装置。
【請求項５】 　前記モニタ回路は、前記蓄積型ライセンサのピーク値あるいはボトム値である最高振巾値を出力することを特徴とする請求項１の光電変換装置。
【請求項６】 　前記モニタ回路は、前記蓄積型ライセンサのピーク値とボトム値との差を出力することを特徴とする請求項１の光電変換装置。
【請求項７】  前記判定回路から出力される蓄積停止信号は、一度１つの信号ラインを経由して停止すべき前記蓄積型ライセンサに割り当てられることを特徴とする請求項１の光電変換装置。 
【請求項
８
する複数のモニタ回路と、これらモニタ回路で得られた信号を
ライン
最大値順次出力回路
最大値順次出力回路
共通の
共通の
最大値順次出力回路
前記
、前記複数のモニタ回路に対して共通に設けられた
、
共通の
最大値順次出力回路
共通の
さらに、前記複数のモニタ回路の出力信号のうち、所定レベルに達した出力信号を出力する前記モニタ回路を特定するとともに、前記停止信号に基づき、このモニタ回路に対応する蓄積型ラインセンサに対して蓄積を停止するように制御する選択回路を有し、前記
共通の
を接続し
前記
共通の
前記
共通の
【請求項
９
する複数のモニタ回路と
これらモニタ回路で得られた信号を、
ライン
最大値順次出力回路
最大値順次出力回路
共通の
最大順次出力回路
前記複数のモニタ回路に対して共通に設けられた
積時間制御
最大順次出力回路
共通の
前記
最大値順次出力回路
共通の
前記
共通の
を接続し
前記
入力
前記
【請求項
１０
最大値順次出力回路
８
９
【請求項
１１
８
９
　
（３）刊行物等
　特許異議申立人が証拠として提示した刊行物には、それぞれ、以下の点が記載されている。
　
刊行物１：特開昭６２−２１２６１１号公報（甲第１号証）
　ＰＤアレイ（蓄積型ラインセンサ）と、ＰＤアレイの蓄積状態を監視するモニターＰＤＭ１，ＰＤＭ２（モニタ回路）と、モニターＰＤＭ１，ＰＤＭ２のモニター出力ＡＧＣＯＳｎをコンパレータの（−）入力に印加して比較し、ＰＤアレイの蓄積停止を判定してシフトパルスＳＨ，ＳＨ１，ＳＨ２（蓄積停止信号）を出力するコンパレータＣｏｍ１（判定回路）と、ＣＣＤイメージセンサの各要素毎の蓄積電荷による光量信号を記憶するＣＣＤレジスタ（メモリ回路）と、積分クリア信号ＩＣＧパルス（積分開始信号）、シフトパルスＳＨ（蓄積停止信号）をＣＣＤレジスタに供給するように制御するマイクロコンピュータ２０（制御回路）と、ＣＤシフトレジスタＲ１，Ｒ２の出力信号をデジタル化するＡ／Ｄ変換回路８０（Ａ／Ｄ変換器）とを有することを特徴とする光電変換装置である点。
　
刊行物２：特開平６−１１６４５号公報（甲第２号証）
　光電変換装置において複数のモニタ回路の出力を、出力バッファ、差動アンプなどからなる回路（モニタ回路）の出力が出力バッファによって１つの出力に変換する点。
　
刊行物３：特開平３−１６３９７２号公報（甲第３号証）
　最大値の出力回路としてピーク出力を検出するピーク出力回路（最大値検出回路）、ボトムピークを出力するボトム出力回路（最小値検出回路）を有する点。
　
刊行物４：特開平５−３４１１８０号公報（甲第４号証）
　モニタ回路、ラインセンサを別個に設ける点。
　
（４）対比・判断
　本件発明１ないし１１と上記刊行物１ないし４に記載の発明とを対比すると、当該刊行物に記載の発明は、本件発明を特定する事項である、
「前記複数のモニタ回路に対して共通に設けられた判定回路」を有し「前記複数のモニタ回路の出力信号を共通のラインを介して順番に前記判定回路に出力する最大値順次出力回路と、前記複数のモニタ回路の出力信号のうち、所定値に達した出力信号を出力する前記モニタ回路を特定するとともに、前記蓄積停止信号に基づき、このモニタ回路に対応する蓄積型ラインセンサに対して蓄積を停止するように制御する選択回路とを有し、所定のタイミングで、前記複数のモニタ回路のうち最大値を示す前記モニタ回路の出力信号が、前記最大値順次出力回路を介して前記判定回路に出力され、前記所定値に達したと判定される」事項（請求項１ないし７）
「各出力ごとに制御された時間にて前記停止信号を順次出力する、前記複数のモニタ回路に対して共通に設けられた蓄積時間制御回路と、該蓄積時間制御回路から出力される停止信号の共通の出力ラインと、前記最大値順次出力回路の出力を入力する蓄積時間制御回路の共通の入力ラインとを有する第２モジュールとから構成され、さらに、前記複数のモニタ回路の出力信号のうち、所定レベルに達した出力信号を出力する前記モニタ回路を特定するとともに、前記停止信号に基づき、このモニタ回路に対応する蓄積型ラインセンサに対して蓄積を停止するように制御する選択回路を有し、前記第１モジュールの選択回路の共通の出力ラインと前記第２モジュールの蓄積時間制御回路の共通の入力ラインとを接続し、前記第１モジュールの停止信号の共通の入力ラインと前記第２モジュールの停止信号の共通の出力ラインとを接続した」事項（請求項８，１０，１１）
「各ラインセンサで蓄積された信号のうち大きなものから順次対象となるラインセンサの蓄積信号として選択して出力する最大値順次出力回路」と、「前記最大値順次出力回路の共通の出力ライン及び各転送回路に対してそれぞれ独立に停止信号を入力するための複数の入力ラインを有する第１モジュール」と、「前記最大順次出力回路から順次選択されて対象となるライセンサの蓄積信号として出力される出力を各対象となるラインセンサに対する出力ごとに検知し、各出力ごとに該出力が所定レベルとなるように蓄積時間制御を行い、各出力ごとに制御された時間にて停止信号を出力する、前記複数のモニタ回路に対して共通に設けられた蓄積時間制御回路と、該積時間制御回路からの停止信号を対象となるラインセンサに対応して設けられた各転送回路へ伝えるための複数の出力ラインと、前記最大順次出力回路の出力を入力する蓄積時間制御回路の共通の入力ラインとを有する第２モジュール」を有する事項（請求項９，１０，１１）
を備えておらず、当該事項により本件発明１ないし１１は、「ＩＣのピン数の増大、半田付けの箇所が増え信頼性が下がるという欠点、回路モジュールの規模が大きくなるという欠点」（段落【０００８】【０００９】）を解消するという顕著な効果、モジュール間での「必要な信号線がかなり減る」（段落【０１１９】）という顕著な効果を奏するといえるのであり、本件発明が上記刊行物１ないし４に記載のものから容易に発明をすることができたものとはいえない。
　また、訂正により記載不備は解消した。
　
（５）むすび
　以上のとおりであるから、特許異議申立ての理由及び証拠によっては、本件発明１ないし１１に係る発明の特許を取り消すことができない。
　また、他に本件発明１ないし１１に係る発明の特許を取り消すべき理由を発見しない。
　したがって、本件発明についての特許は拒絶の査定をしなければならない特許出願に対してされたものと認めない。
　よって、結論のとおり決定する。
【異議決定日】
平成１７年１２月５日（２００５．１２．５）
【訂正の要旨】
審決（決定）の【理由】欄参照。
（５４）【発明の名称】
光電変換装置
（５７）【特許請求の範囲】
　【請求項１】複数の蓄積型ラインセンサと、
前記複数の
複数の
前記
ライン
前記複数のモニタ回路に対して共通に設けられた
前記
前記
を有する光電変換装置
　
前記
信号を共通のラインを介して順番に前記判定回路に出力する
　
前記複数のモニタ回路の出力信号のうち、所定値に達した出力信号を出力する前記モニタ回路を特定するとともに、前記蓄積停止信号に基づき、このモニタ回路に対応する蓄積型ラインセンサに対して蓄積を停止するように制御する選択回路とを有し、
　
所定のタイミングで、前記複数のモニタ回路のうち最大値を示す前記モニタ回路の出力信号が、前記最大値順次出力回路を介して前記判定回路に出力され、前記所定値に達したと判定されることを特徴とする光電変換装置。
　【請求項２】前記最大値順次出力回路はピーク出力回路であることを特徴とする請求項１の光電変換装置。
　【請求項３】前記最大値順次出力回路はボトム出力回路であることを特徴とする請求項１の光電変換装置。
　【請求項４】前記モニタ回路は蓄積制御される前記蓄積型ラインセンサとは別個に設けたセンサでモニタすることを特徴とする請求項１の光電変換装置。
　【請求項５】前記モニタ回路は、前記蓄積型ラインセンサのピーク値あるいはボトム値である最高振巾値を出力することを特徴とする請求項１の光電変換装置。
　【請求項６】前記モニタ回路は、前記蓄積型ラインセンサのピーク値とボトム値との差を出力することを特徴とする請求項１の光電変換装置。
　【請求項７】前記判定回路から出力される蓄積停止信号は、一度１つの信号ラインを経由して停止すべき前記蓄積型ラインセンサに割り当てられることを特徴とする請求項１の光電変換装置。
　【請求項
８
する複数のモニタ回路と、これらモニタ回路で得られた信号を
ライン
最大値順次出力回路
最大値順次出力回路
共通の
共通の
最大値順次出力回路
前記
、前記複数のモニタ回路に対して共通に設けられた
、
共通の
最大値順次出力回路
共通の
さらに、前記複数のモニタ回路の出力信号のうち、所定レベルに達した出力信号を出力する前記モニタ回路を特定するとともに、前記停止信号に基づき、このモニタ回路に対応する蓄積型ラインセンサに対して蓄積を停止するように制御する選択回路を有し、前記
共通の
前記
共通の
を接続し
前記
共通の
前記
共通の
　【請求項
９
する複数のモニタ回路と
これらモニタ回路で得られた信号を、
ライン
最大値順次出力回路
最大値順次出力回路
共通の
最大値順次出力回路
前記複数のモニタ回路に対して共通に設けられた
蓄積時間制御
最大値順次出力回路
共通の
前記
最大値順次出力回路
共通の
前記
共通の
を接続し
前記
入力
前記
　【請求項
１０
最大値順次出力回路
８
９
　【請求項
１１
最大値順次出力回路
８
９
【発明の詳細な説明】
　【０００１】
　【産業上の利用分野】
　本発明はカメラ等の光学機器に使用される光電変換装置に関し、特に蓄積型センサを用いて蓄積信号制御を行なう形式の光電変換装置に関する。
　【０００２】
　【従来の技術】
　複数の蓄積型センサを用いた光電変換装置は、ビデオカメラやスチルカメラ等の光学機器において広く使用されている。例えば、スチルカメラの自動焦点調節装置の一部に、被写体像を検出するための蓄積型センサが用いられている。こうした蓄積型センサを用いるに当たり、蓄積信号を所定量に制限する方法がいろいろ提案されている。
　【０００３】
　以下に図１６を参照して、従来スチルカメラにおいて使用されている自動焦点調節装置の検出部の概略について説明する。
　【０００４】
　５１〜５３は、それぞれ蓄積型のラインセンサであり、５７〜５９が対応したラインセンサ５１〜５３に光が入射している状態を検知するモニタ回路である。モニタ回路５７〜５９の出力によりラインセンサ５１〜５３の蓄積信号の制御を行なう。モニタ回路５７〜５９の出力Ｓ１〜Ｓ３は、それぞれ１３３〜１３５のＡＧＣ判定回路に入り、出力Ｓ１〜Ｓ３か所定時間内に所定値に達した時に、ＡＧＣ判定回路１３３〜１３５が蓄積停止信号ＳＴＯＰ１〜ＳＴＯＰ３を各ラインセンサ５１〜５３に出力し、この信号を受けたラインセンサ５１〜５３は、その時の蓄積信号を５４〜５６のメモリ回路に転送する。
　【０００５】
　ラインセンサ５１〜５３がそれぞれ蓄積停止信号を受けて蓄積信号を転送した後、メモリ回路５４〜５６に記憶された蓄積信号は、それぞれ１３６の読み出し制御回路から出力されるＤＲＩＶＥ−ＣＬＯＣＫに応じて、６３〜６５の出力バッファを介して順次出力され、６６の増巾器で増巾され、７１のＡ／Ｄ変換器でＡ／Ｄ変換された後各種の信号処理が行なわれる。この時、増巾器６６の信号増巾率は、ＡＧＣ判定回路１３３〜１３５が前述のような蓄積制御を実施した時に用いた所定時間と所定値とをパラメータに決定されており、それぞれのラインセンサ５１〜５３に対応して蓄積信号の読み出し時に読み出し制御回路１３６によって設定される。
　【０００６】
　【発明が解決しようとする課題】
　前述の従来例において、図１６の点線の領域Ａ，Ｂのように回路のモジュール化を図ると、以下のような問題点が生じる。
　【０００７】
　（１）Ａ領域とＢ領域のモジュールの間に、モニタ信号と蓄積停止信号の２つの信号のやりとりが各ラインセンサの数だけあるため、信号線数はラインセンサ数の２倍となり、ラインセンサの数の増大と共に、信号線数が２倍で増大する欠点を有していた。
　【０００８】
　また、こうした状態で回路モジュールをＩＣ化すると、ＩＣのピン数が増大し、Ａ領域、Ｂ領域間の信号線数が増大すると、配線数も増大しそれだけ基板面積のうち配線用の部分の占有率が増大するばかりでなく実装化を図る時に半田付けの箇所が増え信頼性が下がるという欠点も有していた。
　【０００９】
　（２）ＡＧＣ判定回路を、各ラインセンサごとに用意しなければならず、ラインセンサの数が増えると、Ｂ領域の回路モジュールの規模が大きくなりコストアップになるという欠点を有していた。
　【００１０】
　【課題を解決するための手段】
　前記課題を解決するために、請求項１の発明は、複数の蓄積型ラインセンサと、
前記複数の
複数の
前記
ライン
前記複数のモニタ回路に対して共通に設けられた
前記
前記
を有する光電変換装置
前記
信号を共通のラインを介して順番に前記判定回路に出力する
前記複数のモニタ回路の出力信号のうち、所定値に達した出力信号を出力する前記モニタ回路を特定するとともに、前記蓄積停止信号に基づき、このモニタ回路に対応する蓄積型ラインセンサに対して蓄積を停止するように制御する選択回路とを有し、所定のタイミングで、前記複数のモニタ回路のうち最大値を示す前記モニタ回路の出力信号が、前記最大値順次出力回路を介して前記判定回路に出力され、前記所定値に達したと判定される
　【００１１】
　前記課題を解決するために、請求項２の発明は、請求項１の構成を有する光電変換装置において、前記最大値順次出力回路はピーク出力回路であることを特徴とする光電変換装置を提供する。
　【００１２】
　前記課題を解決するために、請求項３の発明は、請求項１の構成を有する光電変換装置において、前記最大値順次出力回路はボトム出力回路であることを特徴とする光電変換装置を提供する。
　【００１３】
　前記課題を解決するために、請求項４の発明は、請求項１の構成を有する光電変換装置において、前記モニタ回路は蓄積制御される前記蓄積型ラインセンサとは異なるセンサの出力をモニタすることを特徴とする光電変換装置を提供する。前記課題を解決するために、請求項５の発明は、請求項１の構成を有する光電変換装置において、前記モニタ回路は、前記蓄積型ラインセンサのピーク値あるいはボトム値である最高振巾値を出力することを特徴とする光電変換装置を提供する。
　【００１４】
　前記課題を解決するために、請求項６の発明は、請求項１の構成を有する光電変換装置において、前記モニタ回路は、前記蓄積型ラインセンサのピーク値とボトム値との差を出力することを特徴とする光電変換装置を提供する。
　【００１５】
　前記課題を解決するために、請求項７の発明は、請求項１の構成を有する光電変換装置において、前記判定回路から出力される蓄積停止信号は、一度１つの信号ラインを経由して停止すべき前記蓄積型ラインセンサに割り当てられることを特徴とする光電変換装置を提供する。
　【００１６】
　前記課題を解決するために、請求項
８
する複数のモニタ回路と、これらモニタ回路で得られた信号を
ライン
最大値順次出力回路
最大値順次出力回路
共通の
共通の
最大値順次出力回路
前記
、前記複数のモニタ回路に対して共通に設けられた
、
共通の
最大値順次出力回路
共通の
さらに、前記複数のモニタ回路の出力信号のうち、所定レベルに達した出力信号を出力する前記モニタ回路を特定するとともに、前記停止信号に基づき、このモニタ回路に対応する蓄積型ラインセンサに対して蓄積を停止するように制御する選択回路を有し、前記
共通の
前記
共通の
を接続し
前記
共通の
前記
共通の
　【００１７】
　前記課題を解決するために、請求項
９
する複数のモニタ回路と
これらモニタ回路で得られた信号を、
ライン
最大値順次出力回路
最大値順次出力回路
共通の
最大値順次出力回路
前記複数のモニタ回路に対して共通に設けられた
蓄積時間制御
最大値順次出力回路
共通の
、前記
最大値順次出力回路
共通の
前記
共通の
を接続し
前記
入力
前記
　【００１８】
　前記課題を解決するために、請求項
１０
８
９
　【００１９】
　前記課題を解決するために、請求項
１１
８
９
　【００２０】
　【実施例】
　以下に蓄積型ラインセンサを用いたカメラを例に、本発明の実施例について説明する。
　【００２１】
　図１は、カメラの電気制御ブロックの構成例であり、このカメラは蓄積型のラインセンサを用いた焦点検出装置を備えている。
　【００２２】
　図１で、１はマイクロコンピュータ、２はレンズ制御回路、３は液晶表示回路、４はスイッチセンス回路、５はストロボ発光制御回路、６は焦点検出ユニット、７は測光回路、８はシャッター制御回路、９は給送回路である。
　【００２３】
　マイクロコンピュータ１は、カメラ各部の動作を制御する。レンズ制御回路２は、マイクロコンピュータ１と通信を行ない、通信内容により不図示のモニタを制御し、不図示の撮影レンズの距離環と絞りを制御する。一方、マイクロコンピュータ１にはレンズの焦点距離情報や距離情報、ベストピント補正情報、その他各種補正情報などが転送される。
　【００２４】
　液晶表示回路３は、マイクロコンピュータ１よりシャッタースピード・絞り制御値などのカメラの撮影情報を受け取り液晶表示を行なう。
　【００２５】
　スイッチセンス回路４は、レリーズボタンの撮影準備を始動させる第一ストロークと連動しているレリーズスイッチＳＷ１や、その他不図示の露出モードを決めるスイッチや自動焦点調節のモードを決めるスイッチの状態を読み取る。スイッチが切り替わる度に通信を行なって、マイクロコンピュータ１にスイッチ情報を転送する。
　【００２６】
　ストロボ発光制御回路５は、ストロボの発光と調光を制御する回路であり、発光のための電荷を蓄えるための回路、発光部であるキセノン管、トリガー回路、発光を停止させる回路、フィルム面反射光測光回路、積分回路などの回路からなる。
　【００２７】
　焦点検出ユニット６は、ラインセンサＳＮＳを含む光学系の機構とその駆動回路からなる。ＳＮＳは３対のセンサ列ＳＮＳ−１ａとＳＮＳ−１ｂ、ＳＮＳ−２ａとＳＮＳ−２ｂ、ＳＮＳ−３ａとＳＮＳ−３ｂで構成される蓄積型のラインセンサである。センサ駆動回路は、マイクロコンピュータ１からのセンサ蓄積開始信号を受け取り、ラインセンサの電荷の蓄積を開始させ、所定のレベルに達するとラインセンサの蓄積を終了させ、蓄積の終了したことをマイクロコンピュータ１に伝える。次に、マイクロコンピュータ１よりセンサ駆動回路にセンサ値読み出しの命令が伝わるとセンサ駆動回路はラインセンサＳＮＳにセンサ駆動信号を出力し、マイクロコンピュータ１にラインセンサに蓄積された信号が読み出され、センサ駆動信号に同期してＡＤ変換が行なわれる。ＡＤ変換された被写体の像信号から、被写体が撮影レンズによりどの位置に焦点を結んでいるかを既存の位相差検出法による演算によって検出するようになっている。
　【００２８】
　測光回路７は、画面を複数のエリアに分割し、各エリアの被写体の輝度をＴＴＬ測光しマイクロコンピュータ１にデータを送る。
　【００２９】
　シャッター制御回路８は、マイクロコンピュータ１の制御信号に応答して不図示のシャッターユニットの制御、すなわち先幕走行、後幕走行、シャッターチャージを行なう。
　【００３０】
　給送回路９は、マイクロコンピュータ１の制御信号に応答してフィルム給送用モータを制御し、フィルムの巻き上げ、巻き戻しを行なう。
　【００３１】
　図２は、図１に示したマイクロコンピュータ１の動作を示すフローチャートで、このフローチャートに基づいてカメラ全体の動作の説明を行なう。
　【００３２】
　動作開始で、ステップ２０１から開始する。
　【００３３】
［ステップ２０１］測光・測距開始のレリーズスイッチＳＷ１がＯＮであるか否かを判定し、ＯＮであればステップ２０２に進み、ＯＮでなければステップ２０１に戻り、レリーズスイッチＳＷ１がＯＮになるまで繰り返し判定を行なう。
　【００３４】
［ステップ２０２］露光量を決定するための測光回路７を動作させ被写体の光量を測定し、測光を行なってステップ２０３に進む。
　【００３５】
［ステップ２０３］被写体の焦点状態を検出し撮影レンズを焦点位置に移動するために、焦点検出ユニット６を動作させてレンズ制御回路２により撮影レンズを焦点位置に移動しピントを合わせる自動焦点調節を行ない、ステップ２０４に進む。
　【００３６】
［ステップ２０４］レリーズスイッチＳＷ２がＯＮになっているか否かを判定し、ＯＮであればステップ２０５に進み、ＯＮでなければステップ２０１に戻る。
　【００３７】
［ステップ２０５］レリーズ動作を行なうためにステップ２０２での測光値に基づいて決定された絞り値に、レンズの絞りを絞り込み、ステップ２０６に進む。
　【００３８】
［ステップ２０６］ＴＴＬ一眼レフカメラのミラーをアップさせ、ステップ２０７に進む。ステッップ２０７〜ステップ２０９ではシャッター動作を行なう。
　【００３９】
［ステップ２０７］露光動作を行なうためシャッター制御回路８を制御し先幕走行させる。
　【００４０】
［ステップ２０８］ステップ２０２の測光で決まったシャッター秒時時間待ち。
　【００４１】
［ステップ２０９］シャッターの後幕走行を開始させ、露光を終了する。
　【００４２】
［ステップ２１０］ステップ２０６でアップさせたミラーを所定位置にダウンさせる。
　【００４３】
［ステップ２１１］ステップ２０５で絞り込んだ絞りを開放側に戻す。
　【００４４】
［ステップ２１２］給送回路９を動作させてフィルムを１コマ分巻き上げ、ステップ２０１に戻る。
　【００４５】
　図３は、図２のステップ２０３の焦点調節の動作を示したフローチャートで、このフローチャートに基づいて自動焦点調節の動作の説明を行なう。
　【００４６】
［ステップ３０１］焦点検出ユニット６のセンサ信号を読み出す。
　【００４７】
［ステップ３０２］読み出したセンサ信号の２像の出力状態より、位相差検出法に基づいて、２像の位相差を検出する。
　【００４８】
［ステップ３０３］ステップ３０２で求めた位相差より被写体のディフォーカス量を算出する。
　【００４９】
［ステップ３０４］ステップ３０３で得られたディフォーカス量が所定値以内ならば合焦状態と判定して自動焦点調節終了へ、所定値を超えているならば、合焦状態でないと判定してステップ３０５に進む。
　【００５０】
［ステップ３０５］ステップ３０３で得られたディフォーカス量とレンズの種類の情報からレンズ駆動量を算出する。
　【００５１】
［ステップ３０６］レンズ駆動量をレンズ制御回路２に伝え、所定量分レンズの距離環を駆動する。
　【００５２】
＜実施例１＞
　図４は、図３の自動焦点調節の動作を示したフローチャート中のステップ３０１のセンサ信号読み出しに寄与する回路のブロック図で、本発明の中心となる実施例である。
　【００５３】
　図４で５１〜５３は蓄積型のラインセンサ、５４〜５６はメモリ回路、５７〜５９はモニタ回路、６０〜６２は合成回路、６３〜６５は出力バッファ、６６は増巾器、６７は最大値ライン選択回路、６８は最大値順次出力回路、６９はＡＧＣ判定回路、７０は読み出し制御回路、７１はＡ／Ｄ変換器である。
　【００５４】
　ラインセンサ５１は、フォトダイオードやＣＣＤ等を検出素子として用いるが、図１のカメラ電気制御ブロック図中の焦点検出ユニットのラインセンサＳＮＳ−１ａとＳＮＳ−１ｂの２つのラインセンサに相当し、図４では１ラインとして表現している。通常カメラの位相検出方法では、対応した２つのラインセンサを１つのグループとして扱い、２つのラインセンサの被写体像の位相差を求めた上で自動焦点調節に用いる。図１でラインセンサ５２はＳＮＳ−２ａとＳＮＳ−２ｂに、ラインセンサ５３はＳＮＳ−３ａとＳＮＳ−３ｂに相当する。ラインセンサ５１〜５３に所定量の光量が蓄積されると蓄積停止され、蓄積信号をメモリ回路５４〜５６に転送され、各ラインセンサ、各画素ごとに記憶する。モニタ回路５７〜５９は、それぞれラインセンサ５１〜５３に当たる入射光の光量をモニタするもので、通常ラインセンサ５１〜５３とは別に近接してモニタ用フォトダイオードを設置する。モニタ用フォトダイオードはラインセンサ５１〜５３にそれぞれ１つ設け、ラインセンサ５１〜５３への入射光の光量の平均的な値を示すようにする。合成回路６０〜６２は、読み出し制御回路７０から蓄積開始信号を貰い、ラインセンサ５１〜５３とモニタ回路５７〜５９にリセット状態から蓄積開始を行なう信号を送る。また、最大値ライン選択回路６７から蓄積停止信号を貰って、ラインセンサ５１〜５３とモニタ回路５７〜５９の蓄積を停止しリセット状態に置く信号を送る。出力バッファ６３〜６５はメモリ回路５４〜５６の出力をそれぞれバッファする。増巾器６６のゲインは、読み出し制御回路７０によりセットされる。最大値順次出力回路６８は、各モニタ回路５７〜５９の出力のうち蓄積信号の最も大きな出力を優先的にＡＧＣ判定回路６９に出力する。出力信号名をＳＭＯＮＩＴＯＲと称する。最大値ライン選択回路６７は、最大値順次出力回路６８から現在ＳＭＯＮＩＴＯＲとして出力されているモニタ回路の所属するラインを示すＬＩＮＥ信号を受け取り、ＡＧＣ判定回路６９より出される蓄積停止信号ＳＴＯＰを該ＬＩＮＥ信号に相当するラインに出力する回路である。ＡＧＣ判定回路６９は、最大値順次出力回路から出力されるＳＭＯＮＩＴＯＲ信号が所定時間内に所定値に達したことを判定し蓄積停止信号ＳＴＯＰを出力する。前記所定値としては、複数のレベル値が設けられており、蓄積停止されたラインと前記所定値の情報は、読み出し制御回路７０に転送される。読み出し制御回路７０は、読み出し時にそれぞれのメモリ回路５４〜５６に出力を促すＤＲＩＶＥ−ＣＬＯＣＫ信号を出力すると共に、増巾器６６のゲインをＡＧＣ判定回路６９から転送された各ラインの蓄積停止時の前記所定値から決定し、各ラインの読み出しに合わせて増巾器６６に設定する。Ａ／Ｄ変換器７１は、各ラインセンサ５１〜５３の蓄積停止時の出力が増巾器６６で増巾された後の出力ＶＯＵＴを受けてＡ／Ｄ変換する。Ａ／Ｄ変換された情報は、その後不図示の信号処理に用いられる。尚、図４及び後述の図１２，１３，１４に示される点線部ＡとＢはそれぞれモジュール化されたＩＣにて構成され、ＩＣ間は図示のラインにて接続されている。
　【００５５】
　図４のブロック図で示した各回路の動作を、図５のタイミングチャートを用いて説明する。読み出し制御回路７０からラインセンサ５１〜５３の蓄積開始及びモニタ回路５７〜５９のモニタ開始のＳＴＡＲＴ信号が出力される。前記ＳＴＡＲＴ信号は合成回路６０〜６２を介してそれぞれの回路に伝わり、ラインセンサ５１〜５３は蓄積を開始する。この時の状態を示したのが、図５のＡＣＣ１〜ＡＣＣ３であり、各ライン共に信号レベルＬのリセット状態から信号レベルＨの蓄積状態へ移行する。入射光がラインセンサ５１＞ラインセンサ５２＞ラインセンサ５３の順に強く、同様にモニタ回路にもモニタ回路５７＞モニタ回路５８＞モニタ回路５９の順に強く入射している場合を例にとる。各モニタ回路の出力はモニタ回路５７がＳ１、モニタ回路５８がＳ２、モニタ回路５９がＳ３とすると、最大値順次出力回路６８でまず最も出力の高いモニタ回路５７の出力値Ｓ１がＳＭＯＮＩＴＯＲ信号として選択されＡＧＣ判定回路６９に入力される。図５に、前記最大値順次出力回路６８の出力ＳＭＯＮＩＴＯＲの波形を示す。蓄積時間の経過と共に、モニタ回路５７の出力Ｓ１が上昇し、ある所定時間Ｔ１内に所定値ＶＴＨ１に達した時点で、ＡＧＣ判定回路６９から蓄積停止信号ＳＴＯＰが出力され、最大値ライン選択回路６７に入力される。最大値ライン選択回路６７は、現在ＳＭＯＮＩＴＯＲとして出力されているラインすなわちラインセンサ５１に対応したモニタ回路５７の所属するラインのメモリ回路５４と合成回路６０とに蓄積停止信号ＳＴＯＰ１を出力する。ＳＴＯＰ１の信号を受けて、ラインセンサ５１の蓄積信号はメモリ回路５４に転送されるが、同時に合成回路６０からの出力でラインセンサ５１及びモニタ回路５７は蓄積状態からリセット状態に遷移する。結果として、モニタ回路５７の出力Ｓ１は無信号レベルになり、最大値順次出力回路６８はモニタ回路５７の次に出力の大きいモニタ回路５８の出力Ｓ２をＳＭＯＮＩＴＯＲとして出力する。次に、モニタ回路５７の場合と同様にＡＧＣ判定が行なわれて、モニタ回路５８の出力が所定時間Ｔ１内に所定値ＶＴＨ１に到達するとＡＧＣ判定回路６９からＳＴＯＰ信号が出力される。最大値ライン選択回路６７では、現在ラインセンサ５２に対応するモニタ回路５８のラインが選択されておりＳＴＯＰ２の信号が出力される。ＳＴＯＰ２の信号を受けて、ラインセンサ５２から蓄積信号がメモリ回路５５に転送されると共に、合成回路６１を経た蓄積停止信号によりラインセンサ５２とモニタ回路５８はリセット状態になる。最後に、最大値順次出力回路６８の出力ＳＭＯＮＩＴＯＲとして、ラインセンサ５３に対応するモニタ回路５９の出力Ｓ３が選択される。図５の例では、モニタ回路５９の出力がＴ１時間内に所定値ＶＴＨ１に達せず、低いレベルの所定値ＶＴＨ２に所定時間Ｔ２内に到達するか否かの判定がＡＧＣ判定回路６９により行なわれ、ＶＴＨ２に達した時点でＳＴＯＰ信号が出力される。なお前記所定値ＶＴＨ２が、前記所定値ＶＴＨ１の１／２の値であると、読み出し時には増巾器６６のゲインは所定値ＶＴＨ１の２倍にする。ＳＴＯＰ信号は、最大値ライン選択回路６７に入力され、ＳＴＯＰ３信号がラインセンサ５３に対応したモニタ回路５９の所属したラインに出力される。ラインセンサ５３の蓄積信号は、メモリ回路５６に転送され、ラインセンサ５３及びモニタ回路５９が蓄積停止しリセット状態になる。
　【００５６】
　上記のように、蓄積制御が行なわれた後、読み出し制御回路７０は、ラインセンサ５１〜５３の蓄積信号の読み出しをする。読み出し制御回路７０が、最初にメモリ回路５４に対してＤＲＩＶＥ−ＣＬＯＣＫを出力すると、メモリ回路５４は該出力に応じて記憶したラインセンサ５１の蓄積信号を出力する。前記蓄積信号は、出力バッファ６３を経て増巾器６６により増巾された後、Ａ／Ｄ変換器７１に入力される。次にメモリ回路５５、メモリ回路５６の順に同様に読み出し制御を受ける。メモリ回路５６に対応するモニタ回路５９は、前記ＡＧＣ制御の際Ｔ１時間に所定値ＶＴＨ１に達せず、Ｔ２時間内でＶＴＨ１の１／２の所定値ＶＴＨ２に達したため、増巾器６６には、先行する２つの場合の所定増巾率の２倍の値を設定する。こうすることで、Ａ／Ｄ変換器７１に入力される信号のレベルは、各ラインセンサ５１〜５３ともほぼ同一の値の範囲内に収まる。
　【００５７】
　なお、ＡＧＣ判定回路６９で、複数の所定値を準備するのは、蓄積時間が不当に長くなるのを抑えるためである。読み出し時の増巾率を大きくすることでＳ／Ｎ的には若干不利にはなるが、時間が削減でき応答性が向上されるメリットが大きい。
　【００５８】
　図６にモニタ回路の１例を示す。
　【００５９】
　図６で８１〜８３はモニタ用フォトダイオード、８４〜８６は半導体スイッチ、８７〜８９はオペアンプ、９０〜９２はダイオード、９３〜９５はコンパレータ、９６は最大値ライン選択回路、９７〜９９は光電流積分用コンデンサである。モニタ用フォトダイオード８１〜８３は、前述のようにラインセンサ５１〜５３に隣接して設置される。半導体スイッチ８４〜８６は、スイッチがＯＦＦだと光電流積分用コンデンサ９７〜９９が積分状態になり、ＯＮだとリセット状態になる。該半導体スイッチ８４〜８６は、それぞれ図４中の合成回路６０〜６２によって制御される。オペアンプ８７〜８９は、非反転入力端子に光電流積分用コンデンサ９７〜９９が接続され、出力側にダイオード９０〜９２が接続されている。オペアンプ８７〜８９とダイオード９０〜９２により各光電流積分用コンデンサ９７〜９９に蓄積された電荷量のうちの最大値がＳＭＯＮＩＴＯＲとして出力される。この機能は、図４中の最大値順次出力回路６８の機能に相当する。
　【００６０】
　コンパレータ９３〜９５は、オペアンプ８７〜８９の出力を所定値と比較して、どのラインが現在ＳＭＯＮＩＴＯＲとなっているかを検知する。例えば、光電流積分用コンデンサ９７の出力値が他の光電流積分用コンデンサより値が大きいならばＳＭＯＮＩＴＯＲには、光電流積分用コンデンサ９７の値が出力され、オペアンプ８７は、正常な帰還ループ制御を行なう。一方、他のオペアンプ８８，８９の反転入力端子には、ＳＭＯＮＩＴＯＲの電圧値が印加される。この電圧値は、非反転入力端子に入る電圧値より大きいため、オペアンプ８８，８９の出力は出力可能な下限値を示すことになる。この状態を、コンパレータ９３〜９５で識別する。この例では、コンパレータ９３がＨレベル、コンパレータ９４，９５がＬレベルの出力値を示し、Ｈレベルを示すラインがＳＭＯＮＩＴＯＲとして選択されたラインであることが判る。コンパレータの出力を受けとる最大値ライン選択回路９６は機能的には、図４の最大値ライン選択回路と同じで、ＳＭＯＮＩＴＯＲが所定値に達した時に、Ｈレベルを示しているラインにＳＴＯＰ信号を送ることを行なう。
　【００６１】
　モニタ用フォトダイオード８１〜８３と光電流積分用コンデンサ９７〜９９ならびに半導体スイッチ８４〜８６で構成される回路は、図４中のモニタ回路５７〜５９にそれぞれ相当する。
　【００６２】
＜実施例２＞
　図９に本発明の第２実施例を示す。図６で示した第１実施例のモニタ回路５７〜５９は、正側に出力される例であり、これに応じて最大値順次出力回路６８もピーク値を検知する回路構成を採用している。一方、モニタ回路５７〜５９が負側に出力される時の例が図９に示してある。構成要素は、図６と図９はすべて一致するが、回路の結線状態が異なる。
　【００６３】
　モニタ回路５７〜５９の積分開始により、半導体スイッチ８４〜８６がＯＮからＯＦＦに切り替わり、リセット状態にあった光電流積分用コンデンサ９７〜９９は、モニタ用フォトダイオード８１〜８３の光電流により電源電圧より負側の方向に充電される。該光電流積分用コンデンサ９７〜９９の電圧は、オペアンプ８７〜８９とダイオード９０〜９２で構成されるボトム値を検知する回路で、電源電圧より最も負側に最大となった光電流積分用コンデンサ９７〜９９の電圧値がＳＭＯＮＩＴＯＲとして選択出力される。図４で示したＡＧＣ判定回路６９は、下向きの勾配をもつ電圧値を所定値ＶＴＨ１，ＶＴＨ２と比較判定すれば良い。
　【００６４】
　例えば、第１実施例と同じ様に、光電流積分用コンデンサ９７〜９９の充電量が９７＞９８＞９９の順に蓄積されているとすると、ＳＭＯＮＩＴＯＲの出力状態は図７に示したようになる。本例では、光電流積分用コンデンサ９７の充電量が最も大きいので、オペアンプ８７の非反転入力端子電圧が他のオペアンプ８８，８９の非反転入力端子電圧より負側にある為、オペアンプ８７とダイオード９０を通して、帰還ループ制御が行なわれ、オペアンプ８７の非反転入力端子電圧とＳＭＯＮＩＴＯＲの出力は一致する。他のオペアンプ８８，８９は非反転入力端子電圧＞反転入力端子電圧となり、オペアンプ８８，８９の出力は出力可能な最大値に貼りつくことになる。従って、コンパレータ９３がＨレベル、コンパレータ９４，９５がＬレベルの出力値を示す。前記出力値を最大値ライン選択回路９６に入力し、ＳＭＯＮＩＴＯＲの値が所定値に達した時に、ＳＴＯＰ信号を現在Ｈレベルを示すラインに割り当てることが行なわれる。
　【００６５】
　オペアンプ８７〜８９、ダイオード９０〜９２で構成されるボトム検知回路が、図４中の最大値順次出力回路６８に、またモニタ用フォトダイオード８１〜８３と光電流積分用コンデンサ９７〜９９ならびに半導体スイッチ８４〜８６で構成される回路は、図４中のモニタ回路５７〜５９にそれぞれ相当する。
　【００６６】
＜実施例３＞
　図１０に本発明の第３実施例を示す。１０１〜１０３はフォトダイオードでラインセンサ５１を構成する画素のフォトダイオードを例として３ケ示す。１０１〜１０３はフォトダイオード、１０４〜１０６は半導体スイッチ、１０７〜１０９は光電流積分用コンデンサ、１１０〜１１２はオペアンプ、１１３〜１１５はダイオードである。
　【００６７】
　フォトダイオード１０１〜１０３、光電流積分用コンデンサ１０７〜１０９、半導体スイッチ１０４〜１０６でラインセンサ５１のモニタ回路の一部が構成される。また、オペアンプ１１０〜１１２とダイオード１１３〜１１５でピーク出力回路が構成され、ラインセンサ５１の各画素内のピーク出力が得られる。オペアンプ１１０〜１１２、ダイオード１１３〜１１５は、図４のモニタ回路５７を構成する。モニタ回路５７の出力は、この例では３出力であるが、この内のピーク出力が、Ｓｉとして最大値順次出力回路６８に入力される。図１０では、ラインセンサ５１内のピーク値を示す画素の出力が、ラインセンサ５１のモニタ出力として蓄積制御に用いられる。図８に横にラインセンサの画素、縦に信号値をとり、１つのラインセンサの各画素の値を波形で図示しており、ピーク値は、図中のＰＥＡＫと示した値である。なお、ラインセンサ５２，５３、モニタ回路５８，５９についても同様の構成をもつ。本回路を用いると、第１実施例（図６）や第２実施例（図９）のようにフォトダイオードをラインセンサとは別個に設ける場合よりも直接ラインセンサの出力を用いるためセンサへの入射光量状態と良く一致するモニタ回路が構成できるメリットがある。例えば別個にフォトダイオードを設ける場合では、図８の波形の平均値的な値が得られ、該値で蓄積制御を行なうと、ラインセンサの波高値が飽和してしまうといった現象の発生する可能性があるが、図１０のようなラインセンサと同じフォトダイオードをモニタ回路にも利用する場合では、前記の欠点を有することなく正確に制御が行なえる。
　【００６８】
　動作としては、ラインセンサ５１〜５３のピーク出力がＳｉとして出力され、図４に示した最大値順次出力回路６８に入力され、出力値の高いものから順にＳＭＯＮＩＴＯＲとして出力され、次にＳＭＯＮＩＴＯＲを受けたＡＧＣ判定回路６９は所定時間内に所定値に達するとＳＴＯＰ信号を発生する。以降、ラインセンサ５１〜５３の蓄積制御が第１実施例と同様に行なわれる。
　【００６９】
＜実施例４＞
　図１１と図１２を用いて第４実施例の説明を行なう。
　【００７０】
　第３実施例に対して、各ラインセンサ５１〜５３のピーク出力だけでなく、ボトム出力も取得し、差分量［（ピーク値）−（ボトム値）］で蓄積制御を行なう例を示す。図１１は、図１０と良く似た回路構成をとっており、同じ要素についての説明は省略する。異なるのは、１１６〜１１８のオペアンプと１１９〜１２１のダイオード並びに１２２の減算器が増設されている点である。
　【００７１】
　オペアンプ１１６〜１１８とダイオード１１９〜１２１でボトム検知回路を構成する。
　【００７２】
　図１１の回路構成によれば、図８に示したラインセンサの出力波形の最低値がボトム出力として検知される。ここでピーク値とボトム値の差分をとれば図８で示したように差分量“Ｐ−Ｂ”が得られる。なお、減算器１２２は、ラインセンサ中のピーク出力とボトム出力の差分をとるためのものである。
　【００７３】
　オペアンプ１１０〜１１２、ダイオード１１３〜１１５、オペアンプ１１６〜１１８、ダイオード１１９〜１２１、減算器１２２で、モニタ回路が構成される。
　【００７４】
　本モニタ回路を用いたブロック図を図１２に示す。図１２は図４と良く似た回路構成をとっており、同じ要素については説明を省略する。異なるのは１５０〜１５２の合成回路と１５３〜１５５のボトム信号ホールド用のサンプル＆ホールド回路（以下Ｓ／Ｈ回路と略す）並びに１５６〜１５８の減算器である。
　【００７５】
　合成回路１５０〜１５２が図４の第１実施例の合成回路と異なるのは、Ｓ／Ｈ回路１５３〜１５５への制御信号ラインが追加されている点である。Ｓ／Ｈ回路１５３〜１５５の入力はモニタ回路５７〜５９のボトム信号であり、合成回路１５０〜１５２は蓄積停止信号を受けると制御信号ラインに信号を送りこれを受けたＳ／Ｈ回路１５３〜１５５はモニタ回路５７〜５９から出力されるボトム信号値をホールドする。減算器１５６〜１５８は、メモリ回路５４〜５６の出力からＳ／Ｈ回路１５３〜１５５でホールドされたボトム値を差し引いて出力する。なお、図１１中のＢｏｔｔｏｍ　ｉは各モニタ回路５７〜５９のボトム出力であるが、これが図１２のＳ／Ｈ回路１５３〜１５５に入力される。
　【００７６】
　全体の動作の説明を行なう。ラインセンサ５１〜５３の蓄積が開始されると、そのライン毎の“Ｐ−Ｂ”値がモニタ回路５７〜５９から出力される。例えば、“Ｐ−Ｂ”値がモニタ回路５７＞５８＞５９の順に大きいとすると、まずモニタ回路５７の“Ｐ−Ｂ”値が最大値順次出力回路６８で選択され出力される。この時の最大値順次出力回路６８は、図６中のオペアンプ８７〜８９とダイオード９０〜９２により構成された最大値順次出力回路と同一の構成をとる。最大値順次出力回路６８の出力はＳＭＯＮＩＴＯＲと呼ばれ、ＡＧＣ判定回路６９に入力され、ＳＭＯＮＩＴＯＲすなわち“Ｐ−Ｂ”値が所定値を超えた時点でＡＧＣ判定回路６９は蓄積停止信号ＳＴＯＰを発生させる。前記蓄積停止信号は、最大値ライン選択回路６７に入力され、ラインセンサ５１への蓄積停止信号として割り当てられ、ラインセンサ５１の蓄積信号がメモリ回路５４へ転送される。同時に前記蓄積停止信号は、合成回路１５０へも入力され、Ｓ／Ｈ回路１５３へホールド信号が送られ該Ｓ／Ｈ回路１５３に入力されているラインセンサ５１のボトム値がホールドされる。
　【００７７】
　ラインセンサ５１の停止後、順次ラインセンサ５２、ラインセンサ５３が蓄積制御を受けて停止する。全ラインセンサの蓄積終了後、読み出し制御回路７０からＤＲＩＶＥ−ＣＬＯＣＫ信号が発せられ、ラインセンサ５１に対応したメモリ回路５４からセンサ信号が出力され、減算器１５６に入力される。Ｓ／Ｈ回路１５３は前記ボトム値をホールドしているため、減算器１５６では、メモリ回路５４から出力されたセンサ信号は該ボトム値が減算される。減算器１５６の出力値は増巾器６６へ入力され、Ａ／Ｄ変換器７１でＡ／Ｄ変換される。メモリ回路５４の読み出し終了後、順にメモリ回路５５、メモリ回路５６の読み出しが行なわれる。
　【００７８】
　本実施例の如く、ラインセンサ５１〜５３の出力から、Ｓ／Ｈしたボトム値を減算するのは、以下の点でメリットがある。前記ラインセンサをカメラの位相差検出方式の自動焦点調節用センサとして捉えると、ラインセンサの各画素の信号波形のうち、コントラストの成分のみを用いるため、前述のように“Ｐ−Ｂ”値がＡ／Ｄ変換され、ダイナミックレンジ一杯にコントラスト成分となるため精度良く位相差を求めることができる。
　【００７９】
＜実施例５＞
　図１３を用いて第５実施例の説明を行なう。
　【００８０】
　第５実施例と第１実施例の相違は、図４の最大値ライン選択回路６７を設けず、図１３のＡＧＣ判定回路１３１より直接各ラインへ蓄積停止信号を出力する点にある。ＡＧＣ判定回路１３１は、現在ＳＭＯＮＩＴＯＲに出力されているラインを入力される“ＬＩＮＥ”信号から判別し、ＳＭＯＮＩＴＯＲが所定値に達すると、蓄積停止信号を該ラインに送出する。この制御は、全ラインが蓄積停止するまで行なわれ、その後第１実施例と同じように読み出し制御が実施される。
　【００８１】
　本実施例では、蓄積停止信号線をラインセンサの数だけ必要とするが、図１５で示した従来例と比べると、全体として必要な信号線はかなり減る。
　【００８２】
＜実施例６＞
　図１４を用いて第６実施例の説明を行なう。点線で囲まれたＡ領域は、図４で示した第１実施例と全く同じであるが、点線で囲まれたＢ領域はカメラで一般的に用いるマイクロコンピュータ１３２を採用した例である。
　【００８３】
　マイクロコンピュータ１３２は、Ａ／Ｄ変換器を多数内蔵しており、入力としてＳＭＯＮＩＴＯＲ信号とＶＯＵＴ信号を受けとる。また出力としてはＧＡＩＮ−ＳＥＴ信号がある。他の論理信号は通常の汎用ポートに接続されている。
　【００８４】
　本ブロック図の動作を図１５のフローチャートを用いて説明する。
　【００８５】
［ステップ１４０１］蓄積開始のため、合成回路６０〜６２にＳＴＡＲＴ信号を出力し、ラインセンサ５１〜５３とモニタ回路５７〜５９を蓄積開始させる。
　【００８６】
［ステップ１４０２］最大値順次出力回路６８から入力したＳＭＯＮＩＴＯＲ信号を内蔵のＡ／Ｄ変換器で取り込む。
　【００８７】
［ステップ１４０３］取り込んだＳＭＯＮＩＴＯＲ信号値を、所定時間Ｔ１，Ｔ２，Ｔ３と所定値ＶＴＨ１，ＶＴＨ２，ＶＴＨ３によってＡＧＣ判定を行なう。
　【００８８】
［ステップ１４０４］ステップ１４０３のＡＧＣ判定の結果、蓄積信号が所定値に達していれば、蓄積信号ＯＫとしてステップ１４０５へ進み、所定値に達していなければ、ステップ１４０２へ戻る。
　【００８９】
［ステップ１４０５］蓄積停止信号ＳＴＯＰを最大値ライン選択回路６７に送出する。結果として、現在のＳＭＯＮＩＴＯＲとして出力されているラインが蓄積停止する。
　【００９０】
［ステップ１４０６］蓄積停止を行なったモニタラインＮｏを取り込む。
　【００９１】
［ステップ１４０７］ステップ１４０６で取り込んだラインＮｏと、ステップ１４０３で行なったＡＧＣ判定で用いられた所定時間と所定値より求めた読み出し時のゲインとを記憶する。
　【００９２】
［ステップ１４０８］全ラインの蓄積停止が行なわれたか否かを判定し、まだ蓄積制御しているラインがあればステップ１４０２に戻り、終了していればステップ１４０９へ進む。
　【００９３】
［ステップ１４０９］ライン１（ラインセンサ５１に対応）に対して、増巾器６６の読み出しゲインをセットする。
　【００９４】
［ステップ１４１０］ライン１に対して、メモリ回路駆動クロック（ＤＲＩＶＥ−ＣＬＯＣＫ）を送出し、メモリ回路５４からの信号が出力されバッファ６３、増巾器６６を通り、ＶＯＵＴの信号となる。
　【００９５】
［ステップ１４１１］ステップ１４１０で出力されたライン１のＶＯＵＴ信号をＡ／Ｄ変換して取り込む。
　【００９６】
［ステップ１４１２］ステップ１４０９と同様にライン２（ラインセンサ５２に対応）に対して増巾器６６の読み出しゲインをセットする。
　【００９７】
［ステップ１４１３］ステップ１４１０と同様に、ライン２にメモリ回路駆動クロック（ＤＲＩＶＥ−ＣＬＯＣＫ）を送出し、メモリ回路５５の信号が出力されＶＯＵＴの信号となる。
　【００９８】
［ステップ１４１４］ステップ１４１１と同様にライン２のＶＯＵＴ信号をＡ／Ｄ変換して取り込む。
　【００９９】
　以下［ステップ１４１５］〜［ステップ１４１７］はライン３に対し、［ステップ１４１２］〜［ステップ１４１４］までライン２に対して行なった処理を同様に繰り返す。
　【０１００】
　上記のステップでマイクロコンピュータに記憶された各ラインのＶＯＵＴのＡ／Ｄ変換値は、公知の位相差検出演算に利用される。
　【０１０１】
　マイクロコンピュータを利用して本実施例の如く構成すると、ＡＧＣ判定用にはＳＭＯＮＩＴＯＲの１つの信号線しか必要なく、マイクロコンピュータに内蔵しているＡ／Ｄ変換器の使用チャンネル数が少なくて済む。また、蓄積停止信号の送出のためのポートも１端子割り当てるだけで良く、必要な端子数が少なくて済む。
　【０１０２】
　なお、本実施例では、ラインセンサとしてフォトダイオードを用いた例を示しているが、他のＣＣＤタイプやアモルファスシリコンタイプ等のラインセンサでも同様に用いることができる。ラインセンサの数は３ラインの例を挙げたが、ラインセンサの数が増えても適用可能で、ラインセンサの数が増える程本発明の効果は大きくなる。
　【０１０３】
　また、本実施例では、カメラの自動焦点調節用のセンサの例を示しているが、測光用センサとしても利用できるのはもちろんであり、カメラ以外の他の製品の光電変換装置としても応用が可能である。
　【０１０４】
　【発明の効果】
　（１）
複数
共通の判定回路（蓄積時間制御回路）に入力し、
　【０１０５】
　（２）
複数
モニタ
共通の判定回路（蓄積時間制御回路）に入力し、
判定回路（蓄積時間制御回路）
【図面の簡単な説明】
　【図１】カメラの電気制御ブロック図
　【図２】カメラの動作のメインフローチャート
　【図３】カメラの自動焦点調節のフローチャート
　【図４】第１の実施例を示したブロック回路図
　【図５】ラインセンサの蓄積制御のタイミングチャート
　【図６】第１の実施例等に用いられるモニタ回路の具体例
　【図７】ラインセンサを負方向に蓄積した時のＳＭＯＮＩＴＯＲ波形
　【図８】ラインセンサの各画素の信号波形例
　【図９】第２の実施例等に用いられるモニタ回路の具体例
　【図１０】第３の実施例でラインセンサのピーク値を出力するモニタ回路の具体例
　【図１１】第４の実施例でラインセンサの“ピーク値−ボトム値”を出力するモニタ回路の具体例
　【図１２】第４の実施例で“ピーク値−ボトム値”を用いて蓄積制御するブロック回路図
　【図１３】第５の実施例で複数の蓄積停止信号線を有するブロック回路図
　【図１４】第６の実施例でマイクロコンピュータを使用したブロック回路図
　【図１５】第６の実施例でマイクロコンピュータ使用時のフローチャート
　【図１６】従来例のブロック回路図
　【符号の説明】
　６…焦点検出ユニット　５１，５２，５３…ラインセンサ
　５４，５５，５６…メモリ回路　５７，５８，５９…モニタ回路
　６７…最大値ライン選択回路　６８…最大値順次出力回路
　６９…ＡＧＣ判定回路